(57)【要約】【課題】  設置性を良くすると共に製品コストの低廉化を可能にする。【解決手段】  部屋の天井側に設けられるガイドレール１と、ガイドレール１に保持されて移動自在とされる複数の戸車２と、複数の戸車に吊持されて折り畳み可能とされると共に戸車２の移動時にガイドレール１に沿って伸縮自在とされるカーテン３とを有し、カーテン３が伸張時に部屋の天井に沿う横方向に展張されるカーテン装置において、ガイドレール１が平行する複数とされ、カーテン３が移動端にガイドレール１に直交する先導パイプ４を有し、先導パイプ４が平行する複数のガイドレール１に保持される戸車２に吊持され、先導パイプ４に平行して駆動機５で回動自在とされる巻取りパイプ６を有し、巻取りパイプ６に先端が連結され基端が先導パイプ４に連結される巻取りベルト７を有する。【選択図】  図１
2014023431.tif 000002
【特許請求の範囲】
【請求項１】
部屋の天井側に設けられるガイドレールと、このガイドレールに保持されて移動自在とされる複数の戸車と、この複数の戸車に吊持されて折り畳み可能とされると共に戸車の移動時にガイドレールに沿って伸縮自在とされるカーテンとを有し、このカーテンが伸張時に部屋の天井に沿う横方向に展張されるカーテン装置において、
ガイドレールが平行する複数とされ、カーテンが移動端にガイドレールに直交する先導パイプを有し、この先導パイプが平行する複数のガイドレールに保持される戸車に吊持され、先導パイプに平行して駆動機で回動自在とされる巻取りパイプを有し、この巻取りパイプに先端が連結され基端が先導パイプに連結される巻取りベルトを有することを特徴とするカーテン装置。
【請求項２】
部屋が長手方向に平行して整列する複数のアーチフレームを有し、ガイドレールがアーチフレームまたはアーチフレームに連結の支持梁に吊持される請求項１に記載のカーテン装置。
【請求項３】
巻取りパイプがアーチフレームまたはアーチフレームに連結の支持梁に回動自在に吊持されると共にベルト巻取り体を有し、このベルト巻取り体に巻取りベルトの先端が連結される請求項１または請求項２に記載のカーテン装置。
【請求項４】
駆動機がアーチフレームに連結の支持梁に吊持されまたは部屋の長手方向の端面となる妻面に設けられる請求項１、請求項２または請求項３に記載のカーテン装置。
【請求項５】
ガイドレールが軸線方向を横切る方向の断面形状を開口が下を向くＣ字状もしくはチャンネル状にすると共に開口を形成する両縁部を戸車が転動するレール部とする請求項１、請求項２、請求項３または請求項４に記載のカーテン装置。
【請求項６】
戸車がガイドレール内にあってガイドレールに転動可能に当接する一対の車と、この一対の車を枢着する軸と、この軸に連結されてガイドレールにおける下を向く開口を挿通して垂下する吊り板とを有し、一対の車がガイドレールにおける下を向く開口に臨みこの開口を形成するガイドレールにおけるレール部に摺接するフランジを有する請求項１、請求項２、請求項３、請求項４または請求項５に記載のカーテン装置。
【請求項７】
ガイドレールが軸線方向を部屋の短手方向にすると共に基端の高さ位置を低くするのに対して先端の高さ位置を高くする傾斜状態に設けられ、先導パイプが牽引力の解除時に傾斜するガイドレールに沿って下降する自重を有する請求項１、請求項２、請求項３、請求項４、請求項５または請求項６に記載のカーテン装置。
【発明の詳細な説明】
【技術分野】
【０００１】
この発明は、カーテン装置に関し、特に、温室やビニールハウスにおける部屋の温度管理を可能にするカーテン装置の改良に関する。
【背景技術】
【０００２】
温室やビニールハウスにおける部屋の温度管理を可能にするカーテン装置としては、これまでに種々の提案があるが、たとえば、特許文献１に開示の提案にあっては、カーテンが温室の屋根の上方にあって、折り畳まれている状態からの引き伸ばしで、太陽光が温室内たる部屋に射し込む量を抑制する。
【０００３】
つまり、特許文献１に開示の提案にあっては、温室の屋根を形成する軒の上方に折り畳まれて収納状態におかれるカーテンの先端たる移動端が駆動機の駆動で温室の屋根を形成する棟の上方に向けて引き上げられる。
【０００４】
そして、カーテンの移動端が引き上げられると、折り畳まれているカーテンが引き伸ばされ、温室の屋根にあって軒の上方から棟の上方に向かっての一部または全面を覆い、太陽光による部屋の温度の上昇を抑制する。
【先行技術文献】
【特許文献】
【０００５】
【特許文献１】特開平８−１９３３９７号公報
【発明の概要】
【発明が解決しようとする課題】
【０００６】
上記したカーテン装置にあっては、太陽光による部屋の温度の上昇を抑制し得る点で問題がある訳ではないが、設置性および装置のコストの点で些かの不具合があると指摘される可能性がある。
【０００７】
つまり、上記の提案にあっては、駆動機の駆動でカーテンの移動端を移動させるために、温室の屋根の軒側に設けられたプーリと温室の屋根の棟側に設けられたプーリとをエンドレス状態に回るワイヤを掛け渡すと共に、このワイヤにカーテンの移動端を連結する。
【０００８】
それゆえ、ワイヤは、離れた二つのプーリを回るエンドレス状態に掛け渡されるから、その分、ワイヤが長くなって重量が大きくなり、このカーテン装置を設置する際の作業性、つまり、設置性を悪くすることが危惧される。そして、ワイヤが長く形成される分、部品コストも大きくなり、延いては、カーテン装置における製品コストの低廉化を実現できないことが危惧される。
【０００９】
この発明は、上記した事情を鑑みて創案されたものであって、その目的とするところは、設置性を良くすると共に製品コストの低廉化を可能にするカーテン装置を提供することである。
【課題を解決するための手段】
【００１０】
上記した目的を達成するために、この発明の構成を、部屋の天井側に設けられるガイドレールと、このガイドレールに保持されて移動自在とされる複数の戸車と、この複数の戸車に吊持されて折り畳み可能とされると共に戸車の移動時にガイドレールに沿って伸縮自在とされるカーテンとを有し、このカーテンが伸張時に部屋の天井に沿う横方向に展張されるカーテン装置において、ガイドレールが平行する複数とされ、カーテンが移動端にガイドレールに直交する先導パイプを有し、この先導パイプが平行する複数のガイドレールに保持される戸車に吊持され、先導パイプに平行して駆動機で回動自在とされる巻取りパイプを有し、この巻取りパイプに先端が連結され基端が先導パイプに連結される巻取りベルトを有するとする。
【発明の効果】
【００１１】
それゆえ、この発明にあっては、駆動機の駆動で巻取りパイプが回動されると、この巻取りパイプによって巻取りベルトが巻取られ、巻取りベルトの基端を連結する先導パイプがガイドレールに沿って移動し、たとえば、折り畳み状態にあるカーテンが移動端から引き伸ばされて、部屋に射し込む太陽光を遮る展張状態になる。
【００１２】
そして、巻取りパイプの回動時に、上記と逆に、先導パイプがガイドレールに沿って戻るように移動することで、カーテンが移動端から折り畳まれて、収納状態になり、部屋が射し込む太陽光を浴びることを可能にする。
【００１３】
また、巻取りベルトは、カーテンの移動端の先導パイプと巻取りパイプとの間に設けられて、先端が巻取りパイプに連結されると共に基端が先導パイプに連結されるから、前記した従来のワイヤがエンドレス状態に掛け渡される場合に比較して、巻取りベルトの長さを短くでき、巻取りベルトにおける部材重量を軽くすることが可能になる。
【００１４】
その結果、この発明によれば、カーテン装置を設置する際の作業性、つまり、設置性を良くすると共に製品コストの低廉化を可能にする。
【図面の簡単な説明】
【００１５】
【図１】この発明によるカーテン装置を備えるビニールハウスを骨組にビニールシートを張らない状態で一部破断して示す概略斜視図である。
【図２】図１のビニールハウスを妻面から見た状態を示す正面図である。
【図３】図１のビニールハウスにおける妻面に平行する短手方向の断面を示す図である。
【図４】戸車を示す図で、（Ａ）は、ガイドレールに保持された状態を示す断面正面図で、（Ｂ）は、斜視図である。
【図５】先導パイプが戸車に吊持されている状態を示す部分斜視図である。
【図６】ガイドレールが支持梁に吊持されている状態を示す部分斜視図である。
【図７】通しパイプが戸車に吊持されている状態を示す部分斜視図である。
【図８】駆動機が支持梁に吊持されている状態を示す部分斜視図である。
【図９】巻取りパイプが支持梁に吊持されている状態を示す部分斜視図である。
【図１０】巻取りパイプに巻取りベルトが連結されている状態を示す部分斜視図である。
【発明を実施するための形態】
【００１６】
以下に、図示した実施形態に基づいて、この発明を説明する。この発明によるカーテン装置は、図示するところでは、ビニールハウスＨ（図１参照）の内部たる部屋（符示せず）に装備される。
【００１７】
ちなみに、この発明が意図するところからすれば、このカーテン装置がビニールハウスＨでなく温室における内部たる部屋に装備されるとしても良いことはもちろんである。
【００１８】
ビニールハウスＨは、部屋を形成する骨組（符示せず）に可撓性に富む可視性のビニールシート（図示せず）を張って形成され、温室は、部屋を形成する骨組に可視性のガラス板や合成樹脂板を設けて形成される。
【００１９】
それゆえ、この発明によるカーテン装置にあっては、これが部屋に装備されるから、前記した従来の場合のように温室の外たる屋根に装備される場合に比較して、雨水による錆の発生や風による故障の招来を危惧させない。
【００２０】
戻って、このカーテン装置は、図１乃至図３に示すように、ビニールハウスＨにおける部屋の天井（図示せず）側、つまり、部屋の上方部（符示せず）に設けられるガイドレール１と、図４（Ａ）に示すように、このガイドレール１に保持されてこのガイドレール１の軸線方向に、つまり、このガイドレール１に沿って移動自在とされる複数の戸車２（図４（Ｂ）参照）と、この複数の戸車２に吊持されて折り畳み可能とされると共に戸車２の移動時にガイドレール１に沿って伸縮自在とされるカーテン３とを有し、このカーテン３が伸張時に部屋の天井に沿う横方向に展張されるとしている。
【００２１】
そして、このカーテン装置にあっては、カーテン３が先端たる移動端にガイドレール１に直交する先導パイプ４を有し、この先導パイプ４が平行する複数のガイドレール１に保持される戸車２に吊持され（図５参照）、先導パイプ４に平行して駆動機５で回動自在とされる巻取りパイプ６を有し、この巻取りパイプ６に先端が連結され基端が先導パイプ４に連結される巻取りベルト７を有するとしている。
【００２２】
ちなみに、図１乃至図３に示すところにあって、カーテン３は、伸張途中の状態にあって、完全に展張された状態になく、また、ビニールハウスＨは、骨組にビニールシートが張られる前の状態にある。
【００２３】
ところで、ビニールハウスＨにあって、骨組は、部屋を形成する限りには、任意に構成されて良いが、図示するところでは、長手方向に平行して起立する縦方向材たるアーチフレームＬと、この平行する複数のアーチフレームＬを長手方向に繋いで相互に倒れないようにする横方向材たる軒部材Ｓ１および棟部材Ｓ２とを有して形成される。
【００２４】
アーチフレームＬは、金属製の長尺の丸パイプをアーチ状に折り曲げて形成されて屋根を形成する屋根材をも兼ねるとし、下端部が地中に挿し込まれて自立する。このことから、アーチフレームＬは、下端部を地中から引き抜くようにする外力作用がない限りにおいて、ビニールハウスＨにおける骨組の形成を保障する。
【００２５】
軒部材Ｓ１および棟部材Ｓ２は、アーチフレームＬと同様に、金属製の長尺の丸パイプで形成され、複数にして平行するアーチフレームＬの平行する状態を維持するもので、専用の連結具が利用されるなどしてアーチフレームＬに連結され、アーチフレームＬから分離されない限りにおいて、アーチフレームＬと共にビニールハウスＨにおける骨組の形成を保障する。
【００２６】
ちなみに、軒部材Ｓ１は、平行する複数のアーチフレームＬにおける縦支柱部分Ｌ１の上端部（符示せず）を長手方向に繋ぎ、棟部材Ｓ２は、平行する複数のアーチフレームＬにおける天頂部（符示せず）を長手方向に繋ぐ。
【００２７】
そして、図示しないが、これらアーチフレームＬ、軒部材Ｓ１および棟部材Ｓ２以外の他の部材がさらに利用されて、ビニールハウスＨにおける骨組が形成されても良いことはもちろんである。
【００２８】
また、上記したところでは、アーチフレームＬ、軒部材Ｓ１および棟部材Ｓ２がそれぞれ金属製の丸パイプからなるとしたが、この発明の意図するところからすれば、所定の強度を有し、また、所定の機能を発揮する限りには、これに代えて、合成樹脂製のパイプ材や棒状材で形成されても良い。
【００２９】
ちなみに、図示しないが、以上のようにして形成される骨組の外周面、つまり、骨組の長手方向の端面を形成する妻面、骨組の短手方向の端面を形成する側面、さらには、妻面および側面に連続する屋根面には、たとえば、蟻溝フレームが設けられ、この蟻溝フレームに専用の係止具たる係止線状を利用してビニールシートが張り付けられる。
【００３０】
なお、上記の軒部材Ｓ１および棟部材Ｓ２、さらには、骨組を形成するための他の部材については、これが上記の蟻溝フレームとされても良いことはもちろんである。
【００３１】
一方、カーテン装置におけるガイドレール１は、図１に示すように、平行する複数とされて（図１参照）、カーテン３の部屋の天井に沿う横方向への折り畳み、つまり、カーテン３のガイドレール１に沿う伸縮を可能にする（図２および図３参照）。なお、図１に示すところにおいて、カーテン３は、長手方向の任意の位置で破断された状態で示されている。
【００３２】
そして、ガイドレール１は、戸車２の利用でカーテン３を吊持することからすれば、少なくとも、カーテン３のいわゆる両端部を吊持し得るように平行する二本配置とされる。
【００３３】
のみならず、ガイドレール１間が広くなり、そのため、両端部で吊られるカーテン３が自重で中間部から折れ曲がることが危惧される場合には、両端部のガイドレール１間に任意の本数のガイドレール１が平行して設けられ、各ガイドレール１にカーテン３が吊られるようにする。ちなみに、ガイドレール１の配置本数は、アーチフレームＬの設置本数と一致しなくても良い。
【００３４】
ところで、ガイドレール１は、図示するところでは、部屋の短手方向に直列する二本配置とされ、しかも、図２および図３に示すように、ビニールハウスＨにおける妻面から見るとき、山形に連結されるとしている。
【００３５】
つまり、ガイドレール１は、部屋の所定位置に設けられるのにあっては、二本のガイドレール１の先端が部屋の短手方向の中央で互いに連結され、しかも、傾斜する状態に配設されるとしている。
【００３６】
言い換えると、ガイドレール１は、図２および図３に示すように、骨組における軒側に位置決められる基端の高さ位置が最も低くなるのに対して、部屋の中央の上方部、つまり、棟側に位置決めされる先端の高さ位置が最も高くなるとしている。
【００３７】
これによって、ガイドレール１に保持される複数の戸車２は、外力の作用がないときに、原理的には、ガイドレール１の基端が位置決められる軒側に下降することになり、したがって、複数の戸車２に吊持されるカーテン３は、その状態を図示しないが、折り畳まれた状態で骨組の軒側に位置決めされて収納状態におかれることになる。
【００３８】
つまり、カーテン３は、図示する実施形態にあって、先端たる移動端を引き上げるようにする牽引力が解消されるときには、自重で折り畳まれて軒側に下降することになる。
【００３９】
ところで、ガイドレール１は、これが設けられることで、カーテン３の展張状態あるいは折り畳み状態を実現できることからすれば、任意の方策で所定位置に設けられて良い。
【００４０】
図示するところでは、ガイドレール１は、アーチフレームＬの一対となる縦支柱部分Ｌ１における上端部に設けられる、つまり、一対となる縦支柱部分Ｌ１に両端が連結されて架設される支持梁Ｂに吊持される。
【００４１】
ちなみに、ガイドレール１は、支持梁Ｂに吊持されるのに代えて、図示しないが、ビニールハウスＨにおける部屋を形成する骨組に直接設けられるとしても良く、また、ガイドレール１がアーチフレームＬのいわゆる天井部分から吊り束部材を利用するなどして吊持されても良い。
【００４２】
支持梁Ｂは、アーチフレームＬと同程度の強度を有する丸パイプで形成され、カーテン３を吊持した状態のガイドレール１を吊持しても、簡単に折れ曲がるなどの変形を招来しないように配慮されている。なお、支持梁Ｂは、山形に設けられるガイドレール１に沿うように、山形に折り曲げ形成されている。
【００４３】
また、支持梁Ｂは、図１に示すように、巻取りパイプ６を設けるためにも、選択されたアーチフレームＬにおける一対となる縦支柱部分Ｌ１間に設けられるとし、この本数については、巻取りパイプ６への駆動機５の連結も可能にする強度を有するように任意とされる。
【００４４】
さらに、支持梁Ｂは、両端をアーチフレームＬに連結するが、このとき、図２および図３に示すように、支持梁Ｂの両端部を下方に折り曲げるようにしてアーチフレームＬとの間に凹状の空間（符示せず）を出現させるとし、この凹状の空間に、図示しないが、支持梁Ｂの上方に展張することがある、たとえば、断熱用などのシート類の折り畳み状態あるいはロール状態での収納を可能にするようにしても良い。
【００４５】
戻って、ガイドレール１が支持梁Ｂに吊持されることで、部屋に別の支柱部材を立設すると共にこの支柱部材にガイドレール１を設ける方策を採用する場合に比較して、部材点数の削減を可能にすると共に、このカーテン装置を設ける際の作業性、つまり、設置性を良くすることになる。
【００４６】
のみならず、アーチフレームＬに支持梁Ｂを連結することは、アーチフレームＬに梁材を設けることと同じになり、したがって、たとえば、支持梁ＢがアーチフレームＬと同程度の強度を有するように形成される場合には、支持梁ＢがアーチフレームＬの縦支柱およびアーチとしての強度を上げることになり、結果的には、骨組の強度を上げることになる。
【００４７】
一方、支持梁Ｂにガイドレール１を吊持させるのに際しては、ガイドレール１の機能が損なわれない、つまり、このガイドレール１に保持される戸車２の転動たる移動が可能とされる限りにおいて、任意の方策が採用されて良く、図４に示すところでは、ガイドレール１の両外側面に係止溝１ａが形成されると共に、図６に示すように、吊り金具８が利用されるとしている。
【００４８】
吊り金具８は、一対の係止片８１を支持梁Ｂに介装されるホルダ８２で吊持する態勢に形成され、また、一対の係止片８１は、下端に上記の係止溝１ａに喰い込む爪８１ａを有し、したがって、この吊り金具８にあっては、ホルダ８２における締め付けで係止片８１がガイドレール１を両外側面から挟持することになり、これによって、支持梁ｂにガイドレール１が吊持される。
【００４９】
この吊り金具８を利用するガイドレール１の吊持の場合には、支持梁Ｂに穿孔などを設けないので、支持梁Ｂの曲げに対する剛性を大きい状態に維持することが可能になり、ガイドレール１の吊持性能が保障されると共に、支持梁Ｂを薄肉にして軽量に形成することを可能にし得ることになる。
【００５０】
次に、ガイドレール１は、金属製もしくは合成樹脂製とされて、内側における戸車２の転動、つまり、移動を可能にするように長尺に形成され、図４（Ａ）に示すように、下端に下を向くスリット状に形成の開口１ｂを全長に亙って有し、この開口１ｂは、戸車２の移動方向を設定している。
【００５１】
少し説明すると、図示するところにあって、ガイドレール１は、図４（Ａ）に示すように、軸線方向を横切る方向の断面形状を開口１ｂが下を向くＣ字状にすると共に開口１ｂを形成するやや肉厚に形成の両縁部を戸車２の転動を許容するレール部１ｃにしている。
【００５２】
ガイドレール１の外側面に形成される係止溝１ａは、吊り金具８における係止片８１に形成の爪８１ａが食い込む限りには（図６参照）、必要な長さにのみ形成されるとしても良いが、ガイドレール１が型抜きで形成されることを鑑みると、外側面の全長に亙って形成されるとしても良いことはもちろんで、この場合には、吊り金具８を利用してガイドレール１を吊持する際の作業性を良くする。
【００５３】
戸車２は、基本的には、この戸車２に吊持されるカーテン３がガイドレール１に沿って円滑に移動する限りには、任意に形成されて良く、図４に示すところでは、ガイドレール１内に収容された状態でいわゆる横方向に倒れないように二つの車２１を軸２２で枢着し、二つの車２１がガイドレール１の軸線方向に転動することで移動し得るとしている。
【００５４】
そして、この戸車２は、二つの車２１の間に挟まれるように位置決めされて軸２２を貫通させる吊り板２３を有し、この吊り板２３は、ガイドレール１の下を向く開口１ｂに臨んで、吊り板２３の開口１ｂでの水平方向の回動、つまり、ガイドレール１内での車２１の水平方向の回動を阻止する態勢にあって、戸車２の移動を円滑にする。
【００５５】
なお、戸車２における吊り板２３には、任意の連結構造の利用下に、カーテン３、つまり、カーテン３における先導パイプ４およびこれに平行する通しパイプ３１が吊持される（図５および図７参照）。
【００５６】
ところで、図示する戸車２にあっては、車２１がフランジ２１ａを有し、このフランジ２１ａがガイドレール１の開口１ｂに臨み、この開口１ｂを形成するガイドレール１におけるレール部１ｃに摺接して、フランジ２１ａの開口１ｂでのふらつき、つまり、戸車２のガイドレール１内でのふらつきが阻止されるとしている。
【００５７】
なお、この発明にあって、戸車２は、二つの車２１に吊持されてガイドレール１における開口１ｂに臨む吊り板２３を有するから、この吊り板２３によって戸車２におけるガイドレール１内での横方向への回転が阻止される態勢にあるが、図示するところでは、車２１が有するフランジ２１ａが開口１ｂの内縁に接触することで、戸車２におけるガイドレール１内での横方向への回転が効果的に阻止される。
【００５８】
カーテン３は、これがたとえば遮光用とされる場合には、可撓性に富む有色ネットなどの遮光材で形成され、部屋の長手方向に適宜の長さを有し、部屋の短手方向に適宜の幅に折り畳み可能とされている。
【００５９】
そして、カーテン３にあって、折り畳まれて山部となる部位には、形態維持のための長尺パイプで形成されて先導パイプ４に並行する通しパイプ３１が設けられ、この通しパイプ３１が戸車２の利用でガイドレール１に吊持されるとしている（図１および図７参照）。なお、通しパイプ３１は、図７に示すように、吊り金具たる環付ピン３２で戸車２に吊持されている。
【００６０】
また、カーテン３の軒側に位置決めされる基端は、図示する実施形態では、図２および図３に示すように、ガイドレール１の基端に連結されるとしているが、これに代えて、図示しないが、アーチフレームＬに連結されるとしても良く、また、支持梁Ｂに連結されるとしても良い。
【００６１】
そしてまた、通しパイプ３１は、カーテン３における折り畳み状態を維持するために設けられるものであるから、カーテン３がその構成によって、折り畳み状態を容易に維持できるのであれば、その配設が省略されて戸車２に直接吊持されるとしても良い。
【００６２】
先導パイプ４は、カーテン３の移動端に、つまり、中間部の折り畳まれて山部となる部位に通しパイプ３１を有するカーテン３の先端に設けられるもので、この先導パイプ４をガイドレール１に沿って移動させることで、カーテン３を折り畳み状態にし、また、展張状態にすることが可能になる。
【００６３】
なお、先導パイプ４は、図５に示すように、吊り金具９の利用で戸車２に吊持され、吊り金具９は、先導パイプ４を包持する鍔付ホルダ９１と、この鍔付ホルダ９１の包持状態を維持するピン９２とを有し、このピン９２をリング９３の利用で戸車２の吊り板２３に連結している。
【００６４】
ところで、図示するところにあって、前記したガイドレール１は、傾斜状態に設けられるとしており、したがって、このガイドレール１に保持される戸車２は、外力作用がない限りにおいて、ガイドレール１の傾斜に沿って自由下降することになる。
【００６５】
このことからすれば、傾斜するガイドレール１に戸車２によって吊持されるカーテン３は、先導パイプ４を介しての引き上げ力が解除される場合には、先導パイプ４がガイドレール１の傾斜に沿って下降すると共に通しパイプ３１もガイドレール１の傾斜に沿って下降することになり、結果としてカーテン３が折り畳み状態たる収納状態とされることになる。
【００６６】
とは言え、傾斜するガイドレール１にあって、先導パイプ４および通しパイプ３１が戸車２と共に円滑に移動して下降するためには、少なくとも、先導パイプ４がそれなりの重量を有していて、その荷重によってガイドレール１を円滑に下降し得る態勢にあることが望まれる。
【００６７】
このことから、この発明におけるカーテン装置にあっては、カーテン３の先端たる移動端に設けられる先導パイプ４が重りパイプとされていて、その荷重で自らがガイドレール１を下降し得るとすると共に、先導パイプ４に言わば押される通しパイプ３１もガイドレール１を円滑に下降し得るようにしている。
【００６８】
一方、前記したように、この発明のカーテン装置にあって、カーテン３は、先端たる移動端に有する先導パイプ４に平行するように設けられる巻取りパイプ６の回動で先導パイプ４が移動されて、折り畳み状態にされ、また、展張状態にされるとしている。
【００６９】
つまり、この発明のカーテン装置にあっては、図１乃至図３に示すように、部屋の短手方向の中央部にあって、部屋の長手方向に先導パイプ４に平行する巻取りパイプ６を延在させ、この巻取りパイプ６の回転で先導パイプ４を、つまり、カーテン３を傾斜するガイドレール１に沿って移動させるとしている。
【００７０】
そして、巻取りパイプ６は、この巻取りパイプ６の基端に連結された駆動機５の駆動で回転駆動され、また、この巻取りパイプ６は、この巻取りパイプ６に先端が連結され基端が先導パイプ４に連結される巻取りベルト７を有している。
【００７１】
少し説明すると、駆動機５は、図８に示すように、たとえば、電動モータ５１を有し、この電動モータ５１の回転を減速器５２を介するなどして巻取りパイプ６に伝達するとし、そして、この駆動機５は、図示するところでは、ビニールハウスＨにおける部屋内に設けられ（図１参照）、たとえば、雨水による錆から護られるとしている。
【００７２】
そして、この駆動機５は、図示するところでは、図８に示すように、支持梁Ｂに吊持されて設けられるとしているが、これに代えて、図示しないが、ビニールハウスＨにおける妻面に保持されるとしても良い。
【００７３】
また、駆動機５は、図示しないが、リミットスイッチや操作盤からの信号の入力を受ける制御盤からの信号で駆動し、また、停止し、さらには、緊急作動することが可能とされている。
【００７４】
一方、巻取りパイプ６は、図示するところでは、部屋の上方部にあって、部屋の短手方向の中央部であり、部屋の長手方向のほぼ一杯に延在されている（図１参照）。なお、部屋の長手方向の長さがいわゆる大きくなる場合には、巻取りパイプ６が直列する複数とされるとしても良く、また、この複数とされる巻取りパイプ６は、単一の駆動機５で回動されるとしても良く、さらには、個別に設けられる駆動機５で回動されるとしても良い。
【００７５】
また、この巻取りパイプ６は、部屋の所定位置に設けられるのに際して、任意の方策で、設けられて良いが、図示するところでは、図９に示すように、支持梁Ｂに専用の吊り金具１０で吊持されるとしており、この吊り金具１０は、巻取りパイプ６を回動可能に保持する吊りプレート１０１が支持梁Ｂに吊持されるとしている。
【００７６】
巻取りベルト７は、たとえば、ポリエステルやナイロンなどの合成樹脂材で形成されて、部屋の湿気で劣化せず、また、長期に亙る使用でも伸びないように配慮されて形成されている。巻取りベルト７が合成樹脂製とされることで、これがワイヤからなる場合に比較して、軽量にして防錆効果を得易い点で有利になる。
【００７７】
ところで、巻取りベルト７は、この発明にあっては、先端が巻取りパイプ６に連結されるが、図示するところでは、巻取りパイプ６がベルト巻取り体たるボビン７１を一体に有し、このボビン７１に巻取りベルト７の先端を連結させている（図１０参照）。
【００７８】
つまり、ボビン７１は、図１０に示すように、巻取りパイプ６よりも径を大きくするドラム７１ａを有し、このドラム７１ａの巻取りベルト７の先端を連結させている。なお、ボビン７１にあっては、ドラム７１ａにフランジ７１ｂを有し、ドラム７１ａに対する巻取りベルト７のずれのない整列された巻取りを可能にしている。
【００７９】
また、ボビン７１は、巻取りパイプ６にこの巻取りパイプ６の軸線方向に適宜の間隔を有して複数設けられて、図示するところでは、巻取りパイプ６を挟んでいわゆる左右となる巻取りベルト７の先端を交互に連結させている（図１参照）。
【００８０】
つまり、複数のボビン７１の、たとえば、手前のボビン７１が右側からの巻取りベルト７を上巻き状態に連結させるとき、次のボビン７１が左側からの巻取りベルト７を下巻き状態に連結させるとしている。
【００８１】
それゆえ、巻取りパイプ６に一体に保持されたボビン７１にあっては、巻取りパイプ６が、たとえば、時計回りに回動するとき、巻取りベルト７の巻取りを可能にし、巻取りパイプ６が反時計回りに回動するとき、巻取りベルト７の送り出しを可能にすることになる。
【００８２】
ちなみに、この発明が意図するところからすれば、巻取りベルト７がボビン７１に連結されて巻取りを可能にする観点からすれば、一つのボビン７１に一つの巻取りベルト７が連結されるとしても良いことはもちろんである。
【００８３】
以上のように形成されたこの発明によるカーテン装置にあっては、駆動機５の駆動で巻取りパイプ６が回動されると、この巻取りパイプ６によって巻取りベルト７が巻取られ、巻取りベルト７の基端を連結する先導パイプ４がガイドレール１に沿って移動し、たとえば、折り畳み状態にあるカーテン３が移動端から引き伸ばされて、部屋に射し込む太陽光を遮る展張状態になる。
【００８４】
そして、この発明によるカーテン装置にあっては、先導パイ４がガイドレール１に沿って戻るように移動することで、カーテン３が移動端から折り畳まれて、収納状態になり、部屋が射し込む太陽光を浴びることを可能にする。
【００８５】
そしてまた、このカーテン装置は、ビニールハウスＨの屋内に設けられるから、これが屋外に設けられる場合に比較して、気候による耐久性の低下を危惧しなくて済むと共に、いわゆるメンテナンス作業を部屋内からできるので、屋根上に作業者が登ってメンテナンス作業をする場合に比較して、作業者の安全を確保し易くなる点で有利となる。
【００８６】
また、巻取りベルト７は、カーテン３の移動端の先導パイプ４と巻取りパイプ６との間に設けられて、先端が巻取りパイプ６に連結されると共に基端が先導パイプ４に連結されるから、前記した従来のワイヤがエンドレス状態に掛け渡される場合に比較して、巻取りベルト７の長さを短くでき、特に、巻取りベルト７が合成繊維で形成される場合には、巻取りベルト７における部材重量を軽くすることが可能になる。その結果、この発明によれば、カーテン装置を設置する際の作業性、つまり、設置性を良くすると共に製品コストの低廉化を可能にする。
【００８７】
さらに、この発明によるカーテン装置にあっては、カーテン３を吊持するガイドレール１が部屋内に設けられる支持梁Ｂに吊持されるとするから、この支持梁Ｂの上方に別途に遮熱装置や断熱装置を設けることを可能にする利点がある。
【００８８】
前記したところでは、この発明によるガイドレール１には、カーテン３が吊持されるとしたが、これに代えて、図示しないが、ブロアーによる空気の供給で膨張して伸張する空気膜が戸車２の利用で吊持されるとしても良く、その場合には、空気膜を伸張して展張するとき、部屋の上方部に空気膜による断熱層を形成することが可能になり、部屋の温度調整を効果的に実践できることになる利点がある。
【００８９】
また、前記したところでは、巻取りパイプ６を回動させる駆動機５が電動モータ５１を有していわゆる自動制御を可能にするとしたが、この発明が意図するところからすれば、駆動機５が手動操作で駆動されるとしても良い。
【産業上の利用可能性】
【００９０】
この発明によるカーテン装置は、およそカーテン装置としての利用に向き、たとえば、部屋の妻面に沿う部位にあって、カーテン３が天井側から吊り下げられて妻面に沿って左右方向に開閉可能とされ、妻面越しに射し込む太陽光の量を調整するカーテン装置として利用されても良い。
【００９１】
また、この発明におけるガイドレール１は、凡そガイドレールとしての利用に向き、たとえば、支持梁Ｂに吊持された状態で、部屋の長手方向に設けられ、このガイドレール１に戸車２を介して散水ホースを吊持するとしたり、工具類や種苗を入れる容器を吊持させるとしても良い。
【符号の説明】
【００９２】
１  ガイドレール
１ａ  係止溝
１ｂ  開口
１ｃ  レール部
２  戸車
３  カーテン
４  先導パイプ
５  駆動機
６  巻取りパイプ
７  巻取りベルト
８，９，１０  吊り金具
２１  車
２１ａ，７１ｂ  フランジ
２２  軸
２３  吊り板
３１  通しパイプ
５１  係止片
５１ａ  爪
５２  ホルダ
７１  ボビン（ベルト巻き取り体）
７１ａ  ドラム
９１  鍔付ホルダ
９２  ピン
９３  リング
１０１  吊りプレート
Ｂ  支持梁
Ｈ  ビニールハウス
Ｌ  アーチフレーム
Ｌ１  縦支柱部分
Ｓ１  軒部材
Ｓ２  棟部材
【図１】
2014023431.tif 000003
【図２】
2014023431.tif 000004
【図３】
2014023431.tif 000005
【図４】
2014023431.tif 000006
【図５】
2014023431.tif 000007
【図６】
2014023431.tif 000008
【図７】
2014023431.tif 000009
【図８】
2014023431.tif 000010
【図９】
2014023431.tif 000011
【図１０】
2014023431.tif 000012